(57)【要約】【課題】洗浄時に撹拌体内に残った洗浄水が回転によって内鍋内に飛び散ることを防止する。【解決手段】回転体本体１５に設けられた第１,第２攪拌アームの駆動機構を保護する保護カバー２２の側壁２２aと、回転体本体１５の天面１５aとの間でクリアランス３３を形成する。そして、このクリアランス３３で、洗浄水の排出機能を達成している。上記構成を有する回転体１３を蓋体に取り付けた場合には、クリアランス３３は回転体本体１５の天面１５aに形成される。したがって、洗浄時に回転体本体１５内に進入した洗浄水や、炊飯時やパン焼き時に回転体本体１５内に進入した水蒸気の凝縮水は、回転体１３が回転しても受皿状の形状を有する保護カバー２２から抜けて飛び散ることはなく、衛生上好ましい。【選択図】図４
2015091281.tif 000002
【特許請求の範囲】
【請求項１】
被加熱物を収容する内鍋と、
上記内鍋が収納される炊飯器本体と、
上記炊飯器本体に取り付けられて、上記被加熱物を加熱するための加熱部と、
上記炊飯器本体の上部に開閉可能に取り付けられて、上記内鍋を覆うように閉じることが可能な蓋体と、
上記内鍋の上部に配置されると共に、上記蓋体に着脱可能且つ回転可能に取り付けられて、撹拌部を有する撹拌体と
を備え、
上記撹拌体は、
本体部と、上記本体部に取り付けられて上記本体部を覆うカバー部とを含み、
上記撹拌部は、上記本体部および上記カバー部の何れか一方に設けられており、
上記カバー部を上記本体部に取り付けた状態で、上記カバー部の底面よりも上側に位置する箇所に、水抜き部が設けられている
ことを特徴とする炊飯器。
【請求項２】
請求項１に記載の炊飯器において、
上記水抜き部はスリットである
ことを特徴とする炊飯器。
【請求項３】
請求項２に記載の炊飯器において、
上記スリットは、上記カバー部の外周端面と上記本体部の内面との間のクリアランスである
ことを特徴とする炊飯器。
【請求項４】
請求項３に記載の炊飯器において、
上記本体部の内面は、上記本体部の天面である
ことを特徴とする炊飯器。
【請求項５】
請求項２から請求項４までの何れか一つに記載の炊飯器において、
上記スリットの間隔は、略３mmである
ことを特徴とする炊飯器。
【請求項６】
請求項１から請求項５までの何れか一つに記載の炊飯器において、
上記カバー部には、内部に発生した水分を溜める貯水部が設けられている
ことを特徴とする炊飯器。
【請求項７】
請求項１から請求項６までの何れか一つに記載の炊飯器において、
少なくとも、上記本体部と上記カバー部とにおける上記水抜き部の箇所に、親水性のコーティング材をコーティングしている
ことを特徴とする炊飯器。
【発明の詳細な説明】
【技術分野】
【０００１】
この発明は、攪拌機能を有する炊飯器に関する。
【背景技術】
【０００２】
従来、炊飯器としては、内鍋を収納する炊飯器本体と、炊飯器本体の上部に取り付けられた開閉可能な蓋体と、この蓋体の上記内鍋に対向する部分に設けられて上記内鍋内の米を攪拌する攪拌体とを備えたものがある(特開平７‐２８９４２４号公報(特許文献１)参照)。上記攪拌体は、上記蓋体内に折り畳まれた状態で収納されており、上記内鍋内の米を攪拌する際に開き、上記内鍋内の米の攪拌が終了すると折り畳まれて上記蓋体内に収納されるようになっている。
【先行技術文献】
【特許文献】
【０００３】
【特許文献１】特開平７‐２８９４２４号公報
【発明の概要】
【発明が解決しようとする課題】
【０００４】
ところで、上記従来の炊飯器における上記攪拌体は、洗米時に開かれて米を攪拌するものである。これに対して、昨今の炊飯器においては、炊飯機能の他に、上記撹拌体の撹拌機能を利用して、例えばパン生地をこねる機能を備えたものがある。その場合には、上記撹拌体を洗浄する必要が生じてくる。
【０００５】
上記従来の炊飯器における上記攪拌体を洗浄可能にする場合には、洗浄性を向上させるために、上記攪拌体をその駆動機構と一体に上記蓋体に対して着脱可能に構成し、上記攪拌体を上記駆動機構ごと取り外して水洗いすることが考えられる。その場合、上記駆動機構の収納部内に洗浄水が入るため、水抜き穴が必要になる。ところが、上記水抜き穴の直径が５mmΦより小さい場合には、上記収納部内の洗浄水の表面張力によって閉塞されて洗浄水が抜けないという問題が発生する。これに対し、上記水抜き穴の直径が５mmΦより大きい場合には、洗浄水と共に油や食材カスが上記収納部内に侵入し、上記駆動機構を構成する歯車に挟まって動きが悪くなる等の不都合が生ずる。
【０００６】
そこで、上記駆動機構の収納部を蓋で密閉することが考えられる。ところが、パンを焼くことを想定した場合、パンが焼き上がって直ぐに上記攪拌体および上記収納部を洗浄水に浸けると、密閉された上記収納部内の熱い空気が急激に冷やされて収縮するため、完全に密閉されていない場合には微少な隙間から洗浄水が侵入してしまう。そして、侵入してしまった洗浄水は、上記隙間が表面張力によって閉塞されるため出ることができず、撹拌を伴う加熱調理時の回転によって上記侵入した洗浄水が上記微少な隙間から上記内鍋内に飛び散る場合があるという問題が生ずる。
【０００７】
そこで、この発明の課題は、洗浄時に撹拌体内に残った洗浄水が、撹拌を伴う加熱調理時に、上記撹拌体の回転によって内鍋内に飛び散ることを防止できる攪拌機能を有する炊飯器を提供することにある。
【課題を解決するための手段】
【０００８】
上記課題を解決するため、この発明の炊飯器は、
被加熱物を収容する内鍋と、
上記内鍋が収納される炊飯器本体と、
上記炊飯器本体に取り付けられて、上記被加熱物を加熱するための加熱部と、
上記炊飯器本体の上部に開閉可能に取り付けられて、上記内鍋を覆うように閉じることが可能な蓋体と、
上記内鍋の上部に配置されると共に、上記蓋体に着脱可能且つ回転可能に取り付けられて、撹拌部を有する撹拌体と
を備え、
上記撹拌体は、
本体部と、上記本体部に取り付けられて上記本体部を覆うカバー部とを含み、
上記撹拌部は、上記本体部および上記カバー部の何れか一方に設けられており、
上記カバー部を上記本体部に取り付けた状態で、上記カバー部の底面よりも上側に位置する箇所に、水抜き部が設けられている
ことを特徴としている。
【０００９】
上記攪拌体によって上記内鍋内の被加熱物を撹拌しながら、上記加熱部で上記被加熱物を加熱した場合には、上記攪拌体は上記被加熱物の付着によって汚れる。そのため、使用者は、上記撹拌体を上記蓋体から取り外して洗浄しようとする。
【００１０】
上記構成によれば、上記撹拌体を構成する上記カバー部の底面よりも上側の箇所に水抜き部を設けている。したがって、上記撹拌体を洗浄した際に上記撹拌体内に進入した洗浄水が万が一撹拌体内に残っていても、撹拌を伴う加熱調理時に、上記撹拌体の回転によって、上記カバー部の底面よりも上側に設けられた上記水抜き部から上記内鍋内に飛び散ることを防止できる。
【００１１】
また、１実施の形態の炊飯器では、
上記水抜き部はスリットである。
【００１２】
この実施の形態によれば、上記水抜き部をスリットで構成している。そのため、単に上記水抜き部を穴で構成した場合よりも速やかに且つ完全に、上記撹拌体内に進入した洗浄水を排出できる。
【００１３】
また、１実施の形態の炊飯器では、
上記スリットは、上記カバー部の外周端面と上記本体部の内面との間のクリアランスである。
【００１４】
この実施の形態によれば、上記カバー部の外周端面と上記本体部の内面との間のクリアランスを、上記水抜き部として活用している。そのため、上記撹拌体に水抜き用の穴等を別途形成する必要がなく、コストの削減を図ることができる。
【００１５】
また、１実施の形態の炊飯器では、
上記本体部の内面は、上記本体部の天面である。
【００１６】
この実施の形態によれば、上記クリアランスは上記本体部の天面側に形成される。したがって、上記撹拌体において、洗浄後の乾燥の際に上記本体部を逆さまにしておくことによって、上記洗浄時に上記撹拌体内に進入した洗浄水を、上記本体部の天面側に形成された上記クリアランスから抜くことができる。
【００１７】
また、１実施の形態の炊飯器では、
上記スリットの間隔は、略３mmである。
【００１８】
この実施の形態によれば、上記スリットの間隔は略３mmであり、上記撹拌体内の水の表面張力による閉塞が発生せず、且つ異物が入らないような間隔のスリットが形成されている。したがって、上記撹拌体を洗浄する際に、上記スリットから上記撹拌体内に進入した洗浄水は、速やかに上記スリットから排出される。さらに、上記スリットから上記撹拌体内に食品カスや油等の異物が入ることが防止される。
【００１９】
また、１実施の形態の炊飯器では、
上記カバー部には、内部に発生した水分を溜める貯水部が設けられている。
【００２０】
この実施の形態によれば、上記カバー部には貯水部を設けているので、上記カバー部に残っている洗浄水や上記撹拌体内で水蒸気が凝縮して発生した水分は、上記貯水部に溜められる。したがって、上記被加熱物の加熱時に上記カバー部内の水分が抜け出して上記内鍋内に入ることがなく、衛生上好ましい。
【００２１】
また、１実施の形態の炊飯器では、
少なくとも、上記本体部と上記カバー部とにおける上記水抜き部の箇所に、親水性のコーティング材をコーティングしている。
【００２２】
この実施の形態によれば、上記本体部と上記カバー部における上記水抜き部の箇所に、親水性のコーティング材をコーティングしているので、上記水抜き部の箇所での濡れ性を良くすることができる。したがって、上記水抜き部に上記撹拌体内の水の表面張力による閉塞が発生し始める場合の上記水抜き部の間隔を、上記コーティング材をコーティングしない場合よりも狭くすることができ、上記異物の侵入をさらに確実に防止することができる。
【発明の効果】
【００２３】
以上より明らかなように、この発明の炊飯器は、上記撹拌体を構成する上記カバー部の底面よりも上側の箇所に、水抜き部が設けられている。したがって、上記撹拌体を洗浄した際に上記撹拌体内に進入した洗浄水が万が一撹拌体内に残っていても、撹拌を伴う加熱調理時に、上記撹拌体の回転によって、上記カバー部の底面よりも上側に設けられた上記水抜き部から上記内鍋内に飛び散ることを防止できる。
【図面の簡単な説明】
【００２４】
【図１】この発明の炊飯器における蓋体を開いた状態での斜視図である。
【図２】図１における内鍋および回転体を蓋体側から見た斜視図である。
【図３】図２における回転体を内鍋側から見た外観図である。
【図４】図３におけるＡ‐Ａ'矢視断面図である。
【図５】図３に示す回転体から回転体カバーを取り外した状態を示す外観図である。
【図６】図５に示す回転体から保護カバーを取り外した状態を示す外観図である。
【発明を実施するための形態】
【００２５】
以下、この発明を図示の実施の形態により詳細に説明する。
【００２６】
図１は、本実施の形態の炊飯器における蓋体を開いた状態での概略斜視図である。図１において、本炊飯器は、炊飯器本体１と、この炊飯器本体１に開閉可能に取り付けられた蓋体２とを備えている。そして、炊飯器本体１の前面には、蓋体２を開けるための開ボタン３が設けられている。一方、炊飯器本体１の後面からは、コードリール(図示せず)に引き出し可能に巻き付けられた電源コード４の先端部が突き出ている。
【００２７】
上記蓋体２の上面には、炊き方や調理名などを表示する液晶表示部(図示せず)と、複数の操作ボタン(図示せず)とが設けられている。
【００２８】
上記炊飯器本体１には内鍋５が収納されており、被加熱物としての米や水等が内鍋５内に入れられる。また、炊飯器本体１の上面の前部には被係止部６が設けられている。この被係止部６には、蓋体２の下面の前部に設けられた係止部７が解除可能に係止する。そして、炊飯器本体１内には蓋体２をロックするロック機構８が設けられており、このロック機構８が蓋体２をロックしていない場合に開ボタン３が押されると、被係止部６に対する係止部７の係止が解除される。一方、ロック機構８が蓋体２をロックしている場合には、開ボタン３が押されても係止部７の被係止部６への係止は解除されることはない。また、炊飯器本体１内には、内鍋５を誘導加熱するための誘導加熱コイル９が設置されている。尚、誘導加熱コイル９は加熱部の一例である。
【００２９】
上記内鍋５は、例えばアルミニウム等の高熱伝導部材で形成され、その外面には加熱効率を向上させる例えばステンレス等の磁性体が貼り付けられる一方、内面には被加熱物の付着を防ぐためのフッ素樹脂がコーティングされている。
【００３０】
上記蓋体２は、閉じられた際に内鍋５側に位置する内蓋１０と、内鍋５側とは反対側に位置する外蓋１１とを有している。外蓋１１の後部における図中右側角部内には駆動モータ１２が設置されている。また、外蓋１１内の中央部には、炊飯器本体１と蓋体２との間に配置された回転体１３を回転駆動するための連結軸(図示せず)が設置されており、駆動モータ１２の回転駆動力がプーリ(図示せず)やベルト(図示せず)を介して伝達されて回転される。
【００３１】
上記回転体１３は、蓋体２に対して着脱可能に取り付けられている。すなわち、回転体１３の蓋体２側からは回転軸１７(図２参照)の一端部が突出しており、この回転軸１７の一端部が外蓋１１の上記連結軸に着脱可能に連結される。こうして、回転体１３は、蓋体２に対して着脱可能に取り付けられると共に、上記連結軸によって回転駆動されるようになっている。また、回転軸１７は、回転体１３に対しても回転可能になっている。
【００３２】
上記回転体１３は、角が丸まった長方形の形状を有しており、一側には第１攪拌アーム１４aが取り付けられると共に、他側には第２攪拌アーム１４bが取り付けられている。この第１,第２攪拌アーム１４a,１４bの夫々は、一端部が回転体１３に回動可能に取り付けられており、他端部は上記一端部を中心に回動して回転体１３から突出したり回転体１３と並列したりするようになっている。そして、第１,第２攪拌アーム１４a,１４bの上記他端部が回転体１３から突出した場合には内鍋５内の米等を撹拌する攪拌状態となり、回転体１３と並列した場合には非攪拌状態となる。この攪拌状態と非攪拌状態とは、外蓋１１の上記連結軸の回転方向によって切替可能になっている。
【００３３】
すなわち、本実施の形態においては、上記回転体１３によって上記撹拌体を構成し、第１攪拌アーム１４aおよび第２攪拌アーム１４bによって上記撹拌部を構成しているのである。
【００３４】
図２は、上記内鍋５および回転体１３を蓋体２側から見た概略斜視図であり、上記攪拌状態を示している。これに対して、図１は、上記非攪拌状態を示している。
【００３５】
上記回転体１３は、回転体本体１５と、この回転体本体１５の内鍋５側の表面に着脱可能に取り付けられた回転体カバー１６とを有している。回転体本体１５における回転体カバー１６で覆われている箇所には、後に詳述する第１,第２攪拌アーム１４a,１４bの駆動機構が取り付けられており、回転体本体１５における蓋体２側の中央部からは、上記駆動機構に外蓋１１の上記連結軸からの回転駆動力を伝達するための回転軸１７の一端部が突出している。
【００３６】
図３は、上記蓋体２から取り外した回転体１３を、内鍋５側(下側)から見た外観図である。また、図４は、図３におけるＡ‐Ａ'矢視断面図である。図３および図４において、角が丸まった長方形の形状を有する回転体本体１５における長手方向の両端部には、回転体カバー１６を係止するための係止部材１８a,１８bが設けられている。この係止部材１８a,１８bは、一端には係合部２０a,２０bが設けられおり、他端側の回転軸１９a,１９bの周りに回動して係合部２０a,２０bが回転体カバー１６の両端部に設けられた係合部２１a,２１bに係合することによって、回転体カバー１６を係止する。
【００３７】
尚、上記回転体カバー１６の両側壁における中間部には、長円弧状の凹部１６a,１６bが設けられており、回転体１３を蓋体２から取り外す場合の取っ手の一部となる。
【００３８】
図５は、図３に示す回転体１３において、回転体カバー１６を取り外した状態を示す外観図である。図５に示すように、回転体カバー１６内の回転体本体１５には、上記駆動機構を油や食材カス等の異物から保護するための保護カバー２２が取り付けられている。この保護カバー２２は、回転体本体１５に対して６本のビス２３a〜２３fによって着脱可能に取り付けられている。
【００３９】
図６は、図５に示す回転体１３において、保護カバー２２を取り外した状態を示す外観図である。図６に示すように、回転体本体１５における天面の内側には、薄板を回転体カバー１６の上記両側壁の形状と同じ形状に変形して成る仕切板２４a,２４bが立設されている。この仕切板２４a,２４bには、回転体カバー１６の両側壁に設けられた凹部１６a,１６bと同じ形状に湾曲した凹部２５a,２５bが設けられている。そして、回転体カバー１６を、係止部材１８a,１８bによって回転体本体１５に取り付けた場合には、回転体本体１５の仕切板２４a,２４bの下端面と回転体カバー１６の上記両側壁の上端面とが密着して、回転体本体１５の上記駆動機構を一体に覆うことができる。その際に、回転体カバー１６側の凹部１６a,１６bとこれに連なる仕切板２４a,２４b側の凹部２５a,２５bとで、回転体１３を蓋体２から取り外す場合の上記取っ手を構成するのである。
【００４０】
以下、図４および図６に従って、上記第１,第２攪拌アーム１４a,１４bの上記駆動機構について詳細に説明する。
【００４１】
上記回転軸１７の長手方向中間部には、傘歯車２６が設けられている。また、回転体本体１５における回転軸１７よりも係止部材１８a側には、回転軸１７の軸心に直交する軸心を有して、回転体本体１５の上記長手方向に延在する第１水平軸２７aが配置されている。そして、第１水平軸２７aの回転軸１７側の一端には、傘歯車２６に歯合する傘歯車２８aが取り付けられ、第１水平軸２７aの他端には傘歯車２９aが取り付けられている。
【００４２】
上記傘歯車２９aの近傍には、第１水平軸２７aの軸心に直交する軸心を有して、回転体本体１５の上記長手方向に直交する方向に延在する第２水平軸３０aが配置されている。そして、第２水平軸３０aの傘歯車２９a側の一端には、傘歯車２９aに歯合する傘歯車３１aが取り付けられ、第２水平軸３０aの他端には第１攪拌アーム１４aの上記一端部が取り付けられている。
【００４３】
同様に、上記回転体本体１５における回転軸１７よりも係止部材１８b側には、回転軸１７の軸心に直交する軸心を有して、回転体本体１５の上記長手方向に延在する第３水平軸２７bが配置されている。そして、第３水平軸２７bの回転軸１７側の一端には、傘歯車２６に歯合する傘歯車２８bが取り付けられ、第３水平軸２７bの他端には傘歯車２９bが取り付けられている。
【００４４】
上記傘歯車２９bの近傍には、第３水平軸２７bの軸心に直交する軸心を有して、回転体本体１５の上記長手方向に直交する方向に延在する第４水平軸３０bが配置されている。そして、第４水平軸３０bの傘歯車２９b側の一端には、傘歯車２９bに歯合する傘歯車３１bが取り付けられ、第４水平軸３０bの他端には第２攪拌アーム１４bの上記一端部が取り付けられている。
【００４５】
ここで、上記第１水平軸２７a,第２水平軸３０a,第３水平軸２７bおよび第４水平軸３０bは、夫々回転体本体１５と保護カバー２２とで挟持されている。
【００４６】
上記駆動機構の構成において、上記回転軸１７が一方向に回転すると、傘歯車２６および傘歯車２８a,２９a,３１aを介して第２水平軸３０aが回転される。こうして、第２水平軸３０aに取り付けられている第１攪拌アーム１４aが回転されて、第１攪拌アーム１４aの上記他端が回転体１３から突出する。同様に、回転軸１７が上記一方向に回転すると、傘歯車２６および傘歯車２８b,２９b,３１bを介して第４水平軸３０bが回転される。こうして、第４水平軸３０bに取り付けられている第２攪拌アーム１４bが回転されて、第２攪拌アーム１４bの上記他端が回転体１３から突出する。
【００４７】
こうして、上記第１,第２攪拌アーム１４a,１４bが略９０度回転すると、第１,第２攪拌アーム１４a,１４bの上記一端部側の側面が回転体本体１５のストッパー３２a,３２bに当接して、第１,第２攪拌アーム１４a,１４bの回転が強制的に停止される。そうすると、傘歯車２８a,２９a,３１aおよび傘歯車２８b,２９b,３１bが回転できずに上記駆動機構が固定され、第１,第２攪拌アーム１４a,１４bを含む回転体１３の全体が、回転軸１７によって上記一方向に回転される。その結果、回転体１３から突出した第１,第２攪拌アーム１４a,１４bによって、内鍋５内の米等を撹拌することができる。
【００４８】
これに対して、上記回転軸１７が上記一方向とは逆の他方向に回転した場合には、第２水平軸３０aおよび第４水平軸３０bが上述の場合とは逆方向に回転されて、第１攪拌アーム１４aおよび第２攪拌アーム１４bの上記他端が回転体１３と並列する。
【００４９】
すなわち、上記回転軸１７が回転すると、第１,第２攪拌アーム１４a,１４bを第２水平軸３０aおよび第４水平軸３０bを中心に回動させて、図１に示す非攪拌状態から図２に示す攪拌状態に切り変えたり、上記攪拌状態から上記非攪拌状態に切り変えたりすることが可能になっている。
【００５０】
ところで、上述したように、炊飯時やパン焼き時において、第１,第２攪拌アーム１４a,１４bには、炊飯時の澱粉液である所謂「おねば」やパン生地が付着する。そこで、炊飯終了後や調理終了後に、第１,第２攪拌アーム１４a,１４bを洗浄する必要がある。その場合、蓋体２から取り外した図３に示す状態の回転体１３を洗浄すればよい。ところが、実際には、第２,第４水平軸３０a,３０bにおける第１,第２攪拌アーム１４a,１４bと回転体カバー１６との間に上記おねばやパン生地が侵入するため、回転体カバー１６を取り外して、図５に示す状態の回転体１３を洗浄する場合が生ずる。その場合、何の工夫もなければ、保護カバー２２内の熱い空気が急激に冷やされて収縮するため、保護カバー２２が完全に密閉されていない場合には微少な隙間から洗浄水が侵入する等の不都合が生ずる。
【００５１】
しかしながら、上記保護カバー２２内の空気に急激な温度変化が生じても洗浄水が保護カバー２２内に進入しないように、保護カバー２２で完全に密閉することは現実的ではない。そこで、本実施の形態においては、回転体１３の洗浄時に保護カバー２２内に洗浄水は進入するものとする。そして、侵入した洗浄水は速やかに保護カバー２２内から排出され、尚且つ油や食材カス等の異物は保護カバー２２内に侵入しないように回転体１３を構成している。さらに、保護カバー２２内に洗浄水が残っていても、撹拌を伴う加熱調理時に、回転体１３の回転によって保護カバー２２から内鍋５内に飛び出ないように回転体１３を構成している。
【００５２】
すなわち、図４から分かるように、上記保護カバー２２の周辺部は、回転体本体１５側に折り曲げられて側壁２２aを形成している。そして、保護カバー２２を回転体本体１５に取り付けた際に、保護カバー２２の側壁２２aと回転体本体１５の天面１５aとの間にはクリアランス３３を設けている。そして、このクリアランス３３を介して洗浄水が進入および排出を可能にするのである。
【００５３】
但し、上記クリアランス３３を広く設定し過ぎると、洗浄水と共に御飯粒や油や食材カス等の異物が、回転体本体１５内に侵入してしまう。また、狭く設定し過ぎると、回転体本体１５内に進入した洗浄水が表面張力によるクリアランス３３の閉塞によって排出されなくなる。そこで、本実施の形態においては、クリアランス３３の間隔を３mmに設定している。しかしながら、クリアランス３３の間隔は３mmに限定されるものではない。要は、表面張力による閉塞を防ぎ、且つ上記異物が入らない程度の間隔であればよいのである。
【００５４】
すなわち、本実施の形態においては、上記回転体本体１５により上記本体部を構成し、保護カバー２２により上記カバー部を構成している。また、クリアランス３３により上記水抜き部の一例としてのスリットを構成しているのである。
【００５５】
ここで、図６に示すように、上記回転体本体１５の天面には、保護カバー２２を回転体本体１５に取り付ける際にビス２３a〜２３fが螺合される概略円柱状の取付台３４a〜３４fが設置されている。そのうちの取付台３４bと取付台３４cおよび取付台３４dと取付台３４eは凹部を介して連続して形成されており、第１水平軸２７aおよび第３水平軸２７bの軸受けの機能をも有している。そして、取付台３４a〜３４fの高さを設定することによって、クリアランス３３の間隔が設定されるのである。
【００５６】
尚、上記洗浄水の排出機能を保護カバー２２の側壁２２aに形成される円形の穴に持たせた場合には、保護カバー２２内に進入した洗浄水の表面張力を考慮すると、直径が５mmΦ以上の穴が必要となる。そうすると、上記穴から異物が侵入することになり、異物侵入防止の機能を果たすことができない。
【００５７】
これに対して、本実施の形態では、上記洗浄水の排出機能を、保護カバー２２の側壁２２aと回転体本体１５の天面１５aとの間のクリアランス３３に持たせている。その結果、クリアランス３３の間隔を上記円形の穴の直径(５mm)よりも狭く(３mm)することができ、異物侵入防止の機能をより効果的に果たすことができるのである。
【００５８】
以上のごとく、本実施の形態においては、上記回転体本体１５に設けられた第１,第２攪拌アーム１４a,１４bの駆動機構を保護する保護カバー２２の側壁２２aと、回転体本体１５の天面１５aとの間でクリアランス３３を形成する。そして、上記構成を有する回転体１３を蓋体２に取り付けた場合には、クリアランス３３は回転体本体１５の天面１５aに形成される。したがって、洗浄時に回転体本体１５内に進入した洗浄水や、炊飯時やパン焼き時に回転体本体１５内に進入した水蒸気の凝縮水は、回転体１３が回転しても受皿状の形状を有する保護カバー２２から抜けて飛び散ることはなく、衛生上好ましい。
【００５９】
さらに、上記クリアランス３３で、洗浄水の排出機能を達成している。したがって、クリアランス３３の間隔を３mmに設定することよって、回転体本体１５内に進入した洗浄水の表面張力によるクリアランス３３の閉塞を無くし、且つ回転体本体１５内への異物の侵入を防止するフィルタの機能をも併せ持つことができる。
【００６０】
すなわち、本実施の形態によれば、第１,第２攪拌アーム１４a,１４bを含む回転体１３の洗浄時に、回転体本体１５内に異物が入ることを防止できる攪拌機能を有する炊飯器を提供することできるのである。
【００６１】
さらに、上記保護カバー２２と回転体本体１５との２つの部品のクリアランス３３を水抜き構造体として活用している。そのため、保護カバー２２に水抜き用の穴を別途形成する必要がなく、金型費用の削減を図ることができる。
【００６２】
尚、本実施の形態においては、上記回転体１３を蓋体２に取り付けた場合に、回転体本体１５の天面１５aにクリアランス３３を設けている。しかしながら、この発明はこれに限定されるものではなく、保護カバー２２の底面よりも上側に位置する箇所であれば、回転体１３の回転によって、上記水抜き部としてのクリアランス３３から内鍋５内に飛び散ることを防止できるのである。
【００６３】
また、本実施の形態においては、上記第１,第２攪拌アーム１４a,１４bを回転体本体１５に取り付けているが、保護カバー２２に取り付けても構わない。
【００６４】
また、本実施の形態においては、上記保護カバー２２の全週に亘って水抜き用のクリアランス３３を開けているが、この発明はこれに限定されるものではない。例えば、保護カバー２２の側壁２２aと回転体本体１５の天面１５aとの境界に、複数のスリットを形成しても差し支えない。その場合、上記スリットの長さや数については特に限定するものではない。
【００６５】
また、本実施の形態においては、上記回転体本体１５内に進入した洗浄水が表面張力によって排出されなくなるのを防止するために、クリアランス３３の間隔を３mmに設定している。しかしながら、上記異物の侵入を確実に防止するには、クリアランス３３の間隔はより狭い方が望ましい。そこで、少なくとも、保護カバー２２の側壁２２aにおける端面および内面と、回転体本体１５の天面１５aにおけるクリアランス３３の形成箇所とに、親水性のコーティング材をコーティングすることが望ましい。そうすることによって、クリアランス３３の箇所での濡れ性を良くして発生する表面張力を抑制し、クリアランス３３の間隔を３mmよりも狭くすることが可能になる。
【００６６】
また、本実施の形態においては、上記保護カバー２２に側壁２２aを設け、この側壁２２aと回転体本体１５の天面１５aとの間でクリアランス３３を形成している。しかしながら、この発明では、必ずしも側壁２２aを設ける必要はなく、単に保護カバー２２の外周部を湾曲させて、保護カバー２２の外周端面と回転体本体１５の天面１５aとの間でクリアランス３３を形成しても一向に構わない。
【００６７】
また、上記回転体１３を蓋体２に取り付け状態で、保護カバー２２の底部となる箇所には、保護カバー２２内の水分を溜めるための複数の溝や凹部でなる貯水部を設けることが望ましい。上記貯水部を設けることによって、保護カバー２２内に残っている洗浄水や回転体本体１５内に進入した水蒸気が凝縮して発生した水分を、上記貯水部内に溜めることができる。したがって、炊飯時等に、保護カバー２２内の水分が抜け出して内鍋５内に入ることを確実に防止でき、衛生上さらに好ましい。
【符号の説明】
【００６８】
１…炊飯器本体、
２…蓋体、
５…内鍋、
９…誘導加熱コイル、
１０…内蓋、
１１…外蓋、
１２…駆動モータ、
１３…回転体、
１４a…第１攪拌アーム、
１４b…第２攪拌アーム、
１５…回転体本体、
１６…回転体カバー、
１７…回転軸、
１８a,１８b…係止部材、
２２…保護カバー、
２３a〜２３f…ビス、
２４a,２４b…仕切板、
２６,２８a,２８b,２９a,２９b,３１a,３１b…傘歯車、
２７a…第１水平軸、
２７b…第３水平軸、
３０a…第２水平軸、
３０b…第４水平軸、
３２a,３２b…ストッパー、
３３…クリアランス、
３４a〜３４f…取付台。
【図１】
2015091281.tif 000003
【図２】
2015091281.tif 000004
【図３】
2015091281.tif 000005
【図４】
2015091281.tif 000006
【図５】
2015091281.tif 000007
【図６】
2015091281.tif 000008